(57)【要約】【課題】セキュリティを確保した上で、利用者に入力を受け付けたことを通知する。【解決手段】情報処理装置９００は、入力手段８００の接触又は近接位置を検出する入力検出部９０１と、入力検出部９０１における入力位置を表示する表示部９０２と、入力検出部９０１を用いて所定の情報が入力される場合、入力検出部９０１が検出した位置に対応する情報の入力受付けを、第１の通知形態で通知し、入力検出部９０１を用いて所定の情報以外の情報が入力される場合、入力検出部９０１が検出した位置に対応する情報の入力受付けを、第２の通知形態で通知する制御部９０３とを備える。【選択図】図９
2014182540.tif 000002
【特許請求の範囲】
【請求項１】
入力手段の接触又は近接位置を検出する入力検出部と、
前記入力検出部における入力位置を表示する表示部と、
前記入力検出部を用いて所定の情報が入力される場合、前記入力検出部が検出した位置に対応する情報の入力受付けを、第１の通知形態で通知し、前記入力検出部を用いて前記所定の情報以外の情報が入力される場合、前記入力検出部が検出した位置に対応する情報の入力受付けを、第２の通知形態で通知する制御部と、
を備えることを特徴とする情報処理装置。
【請求項２】
前記制御部は、前記入力検出部が検出した位置に対応する情報を、前記第１の通知形態として前記表示部の第１の位置に表示し、前記第２の通知形態として前記表示部の第２の位置に表示する、
ことを特徴とする請求項１に記載の情報処理装置。
【請求項３】
前記制御部は、前記第１の位置として、前記入力検出部が検出した位置に対応する情報の下方に前記情報を表示し、前記第２の位置として、前記入力検出部が検出した位置に対応する情報の上方に前記情報を表示する、
ことを特徴とする請求項２に記載の情報処理装置。
【請求項４】
前記制御部は、前記所定の情報が入力される場合、前記情報を拡大表示する、
ことを特徴とする請求項３に記載の情報処理装置。
【請求項５】
前記制御部は、前記所定の情報が入力される場合、前記情報と背景のコントラストを小さくする、
ことを特徴とする請求項４に記載の情報処理装置。
【請求項６】
前記制御部は、前記所定の情報が入力される場合、前記所定の情報以外が入力される場合の拡大率に比べより小さな拡大率で前記情報を拡大表示するか、あるいは前記入力検出部が検出した位置に対応する情報の表示サイズ以下に前記情報を縮小して表示する、
ことを特徴とする請求項４または５に記載の情報処理装置。
【請求項７】
当該携帯装置を振動させる振動部を更に備え、
前記制御部は、前記所定の情報が入力される場合、前記第１の通知形態として、前記振動部を振動させることで前記情報の入力受付けを通知する、
ことを特徴とする請求項１から６のいずれかに記載の情報処理装置。
【請求項８】
入力部の接触又は近接位置を検出する入力検出ステップと、
前記入力検出ステップで検出される入力位置を表示する表示ステップと、
前記入力検出ステップで所定の情報が入力される場合、前記入力検出ステップで検出した位置に対応する情報の入力受付けを、第１の通知形態で通知する第１の通知ステップと、
前記入力検出ステップで前記所定の情報以外の情報が入力される場合、前記入力検出ステップで検出した位置に対応する情報の入力受付けを、第２の通知形態で通知する第２の通知ステップと、
を含むことを特徴とする情報入力方法。
【請求項９】
情報処理装置のコンピュータに、
入力手段の接触又は近接位置を検出する入力検出機能、
前記入力検出機能における入力位置を表示部に表示する表示機能、
前記入力検出機能を用いて所定の情報が入力される場合、前記入力検出機能が検出した位置に対応する情報の入力受付けを、第１の通知形態で通知する第１の通知機能、
前記入力検出機能を用いて前記所定の情報以外の情報が入力される場合、前記入力検出機能が検出した位置に対応する情報の入力受付けを、第２の通知形態で通知する第２の通知機能、
を実行させることを特徴とするプログラム。
【発明の詳細な説明】
【技術分野】
【０００１】
本発明は、情報処理装置、情報入力方法、及びプログラムに関する。
【背景技術】
【０００２】
携帯情報端末等の情報処理装置において、タッチパネル入力方式を用いた仮想キーボード、あるいはソフトキーボードと呼ばれるキーボードをディスプレイ上に表示し、表示されたキーにタッチ操作することにより、文字入力を行う技術が知られている。そして、情報処理装置では、文字入力時、入力された文字をキーの上方に拡大表示することにより、利用者に入力受付を通知している。このため、ハードウェアによるキーボードに比べ、入力した文字を利用者本人のみならず、周囲の人が見るのが容易であり、パスワードを盗み見られるというセキュリティ上のリスクがある。
【０００３】
特に、近年、鉄道等の公共交通機関内など、不特定多数の人の集まる場所で携帯情報端末等の情報処理装置を使用する機会が増加している。また、クラウドサービス等のネットワークサービスの普及により、携帯情報端末でこれらのサービスにログインするためのユーザＩＤ、パスワードを入力する機会も増加している。ゆえに、不特定多数の人が周囲に居る状況でパスワードを盗み見られることを防止する技術が提案されている。
【０００４】
例えば、特許文献１には、パスワード入力状態にある場合、表示画面の更新を停止したり、押されたキーの形状を変えるなどの強調表示を停止したりすることにより、入力したパスワードが漏洩するのを防止する技術が提案されている。
【０００５】
また、特許文献２には、パスワード入力部を操作する利用者および当該利用者周辺の画像を撮像し、この撮像した画像内に利用者以外の他の人物が背後にいるか否かを判定し、利用者以外の他の人物が背後にいる場合、当該背後の人物から見えにくい位置にパスワード入力部を移動させて表示する技術が提案されている。
【先行技術文献】
【特許文献】
【０００６】
【特許文献１】特開２００５−２８４３７５号公報
【特許文献２】特開２００７−２０６８９９号公報
【発明の概要】
【発明が解決しようとする課題】
【０００７】
しかしながら、特許文献１の技術では、第三者のみならず、入力した利用者本人も入力の確認を行うことができず、入力ミスを誘発しやすいという問題がある。また、特許文献２の技術では、利用者以外の他の人物が背後にいるかを検出しなければならず、据置型の装置であれば可能であるが、携帯情報端末等の情報処理装置では実現することは難しいという問題がある。
【０００８】
そこで本発明は、セキュリティを確保した上で、利用者に入力を受け付けたことを通知することができる情報処理装置、情報入力方法、及びプログラムを提供することを目的とする。
【課題を解決するための手段】
【０００９】
本発明の情報処理装置は、入力手段の接触又は近接位置を検出する入力検出部と、前記入力検出部における入力位置を表示する表示部と、前記入力検出部を用いて所定の情報が入力される場合、前記入力検出部が検出した位置に対応する情報の入力受付けを、第１の通知形態で通知し、前記入力検出部を用いて前記所定の情報以外の情報が入力される場合、前記入力検出部が検出した位置に対応する情報の入力受付けを、第２の通知形態で通知する制御部と、を備えることを特徴とする情報処理装置である。
【００１０】
本発明の情報入力方法は、入力部の接触又は近接位置を検出する入力検出ステップと、前記入力検出ステップで検出される入力位置を表示する表示ステップと、前記入力検出ステップで所定の情報が入力される場合、前記入力検出ステップで検出した位置に対応する情報の入力受付けを、第１の通知形態で通知する第１の通知ステップと、前記入力検出ステップで前記所定の情報以外の情報が入力される場合、前記入力検出ステップで検出した位置に対応する情報の入力受付けを、第２の通知形態で通知する第２の通知ステップと、を含むことを特徴とする情報入力方法である。
【００１１】
本発明のプログラムは、情報処理装置のコンピュータに、入力手段の接触又は近接位置を検出する入力検出機能、前記入力検出機能における入力位置を表示部に表示する表示機能、前記入力検出機能を用いて所定の情報が入力される場合、前記入力検出機能が検出した位置に対応する情報の入力受付けを、第１の通知形態で通知する第１の通知機能、前記入力検出機能を用いて前記所定の情報以外の情報が入力される場合、前記入力検出機能が検出した位置に対応する情報の入力受付けを、第２の通知形態で通知する第２の通知機能、を実行させることを特徴とするプログラムである。
【発明の効果】
【００１２】
この発明によれば、セキュリティを確保した上で、利用者に入力を受け付けたことを通知することができる。
【図面の簡単な説明】
【００１３】
【図１】本発明の第１実施形態による情報処理装置１の構成を示すブロック図である。
【図２】本第１実施形態において、利用者がパスワード入力を行う場合のディスプレイ１０４の表示例を示す模式図である。
【図３】本第１実施形態による情報処理装置１の動作を説明するためのフローチャートである。
【図４】本第１実施形態において、パスワードの文字を入力した際に、文字入力を受け付けたこと示す表示例を示す模式図である。
【図５】本第１実施形態において、パスワード以外の文字を入力した際に、文字入力を受け付けたこと示す表示例を示す模式図である。
【図６】本第１実施形態において、パスワードの文字を入力した際に、文字入力を受け付けたこと示す他の表示例を示す模式図である。
【図７】本第１実施形態において、パスワードの文字を入力した際に、文字入力を受け付けたこと示す他の表示例を示す模式図である。
【図８】本第２実施形態による情報処理装置１の動作を説明するためのフローチャートである。
【図９】付記１の構成を示すブロック図である。
【発明を実施するための形態】
【００１４】
以下、本発明の実施の形態を、図面を参照して説明する。
【００１５】
Ａ．第１実施形態
まず、本発明の第１実施形態について説明する。
図１は、本発明の第１実施形態による情報処理装置１の構成を示すブロック図である。図において、情報処理装置１は、例えば、携帯情報端末からなる。情報処理装置１は、制御部１０１、ワークメモリ１０２、表示制御部１０３、ディスプレイ１０４、入力制御部１０５、入力部（タッチパネル）１０６、振動制御部１０７、及びバイブレータ１０８を備えている。
【００１６】
制御部１０１は、情報処理装置１の全体の動作を司るＣＰＵ（Ｃｅｎｔｒａｌ  Ｐｒｏｃｅｓｓｉｎｇ  Ｕｎｉｔ）１０１１と、そのＣＰＵ１０１１によって実行されるべきソフトウエア・プログラムとして、後述するフローチャートを実現するプログラムが記憶されたプログラムメモリ１０１２とからなる。
【００１７】
ワークメモリ１０２は、制御部１０１が実行している各種プログラムのためのワークエリアや、ディスプレイ１０４に表示している画面の内容、すなわち、仮想キーボードが表示中であるか否か、パスワード入力中であるか否かといった装置の状態、及び入力部（タッチパネル）１０６へのタッチ操作状態を記憶する領域を提供する。該ワークメモリ１０２は、フラッシュメモリ等の書き換え可能な不揮発性メモリであってもよい。
【００１８】
表示制御部１０３は、制御部１０１の制御に従って、ディスプレイ１０４の表示を制御する。ディスプレイ１０４は、液晶表示器や有機ＥＬ（Ｅｌｅｃｔｒｏ  Ｌｕｍｉｎｅｓｃｅｎｃｅ）表示器などからなり、表示制御部１０３の制御に従って、各種情報を表示する。
【００１９】
入力制御部１０５は、入力部（タッチパネル）１０６へのタッチ操作の有無を監視し、タッチ操作を検出すると、タッチ操作の有無情報、及びタッチ位置を制御部１０１に通知する。入力部（タッチパネル）１０６は、指やスタイラス（ペン）などの直接接触を検出する接触検出型、あるいは、指やスタイラス（ペン）などが近づいたことを検出する近接検出型からなる。タッチパネル１３としては、例えば、ディスプレイ１０４の画面の全面にタッチセンサなどの検出部を重ね合わせた外付け型や、一体で製造されている内蔵型（内蔵型には、さらに、オンセル型とインセル型がある）であってもよい。また、入力部（タッチパネル）１０６への入力手段としては、上述したように、指やスタイラス（ペン）などを用いる。
【００２０】
制御部１０１は、現在、仮想キーボードが表示中であるか否か、パスワード入力中であるか否かといった装置の状態、及び入力部（タッチパネル）１０６へのタッチ操作状態（タッチ操作の位置情報）を取得し、ワークメモリ１０２に記憶する。また、制御部１０１は、定期的に後述するフローチャート（図３）を実行し、ワークメモリ１０２を参照し、仮想キーボードが表示中であるか否か、パスワード入力中であるか否かといった装置の状態、及び入力部（タッチパネル）１０６へのタッチ操作状態（タッチ操作の位置情報）に基づいて、タッチ操作されたキーの表示制御を実行する。
【００２１】
制御部１０１は、ディスプレイ１０４に表示されている仮想キーボード（後述）がタッチ操作されると、そのタッチ操作により入力される情報がパスワードであるか否かを判定する。そして、制御部１０１は、パスワードでない場合には、通常通り、タッチ操作されたキーの上方に、該タッチ操作されたキーを拡大表示し、利用者にキー入力を受け付けたことを表示する。一方、パスワードである場合には、制御部１０１は、タッチ操作されたキーの下方に、タッチ操作されたキーを拡大表示する。これにより、拡大表示されるキーは、ユーザ自身の指の下に隠れ、周囲からは見えにくくなり、パスワードの漏洩リスクを低減することができる。なお、上記上方、あるいは下方とは、情報処理装置１が、縦長状態（筐体の長手側を垂直状態とした場合）、あるいは横長状態（筐体の短手側を垂直状態とした場合）のどちらで用いられる場合であっても、表示画面の天地方向に一致する。
【００２２】
振動制御部１０７は、制御部１０１による制御の下、利用者がタッチパネル１０６を押下したとき、その押下を受け付けた反応として、バイブレータ１０８を駆動して情報処理装置１自体を振動させる。バイブレータ１０８は、振動制御部１０７によって駆動制御される。
【００２３】
なお、図１に示す、情報処理装置１の構成は、あくまでも一例であり、他の構成として、有線や、無線などの通信機能や、位置情報を取得するためのＧＰＳ（Ｇｌｏｂａｌ  Ｐｏｓｉｔｉｏｎｉｎｇ  Ｓｙｓｔｅｍ）機能や、情報処理装置１の回転や傾きなどを検出するジャイロセンサなどを備えていてもよいが、説明を簡単にするために省略する。
【００２４】
図２は、本第１実施形態において、利用者がパスワード入力を行う場合のディスプレイ１０４の表示例を示す模式図である。ここでは、仮想キーボード２０１とパスワード入力欄２０２が表示されている。ユーザが仮想キーボード２０１のキーをタッチ操作すると、タッチ操作されたキーは、パスワード入力欄２０２に伏せ字（図示の例では●）で表示される。
【００２５】
次に、上述した第１実施形態の動作について説明する。
図３は、本第１実施形態による情報処理装置１の動作を説明するためのフローチャートである。また、図４は、本第１実施形態において、パスワードの文字を入力した際に、文字入力を受け付けたこと示す表示例を示す模式図である。また、図５は、本第１実施形態において、パスワード以外の文字を入力した際に、文字入力を受け付けたこと示す表示例を示す模式図である。
【００２６】
以下、利用者がパスワード入力を行う場合の制御部１０１の動作について説明する。なお、前提条件として、ワークメモリ１０２には、現在、パスワード入力状態で、図２に示す仮想キーボード２０１が表示されており、入力制御部１０５からの通知により、「Ａ」文字キー４０１がタッチ操作中であることを示す情報が書き込まれているものとする。
【００２７】
制御部１０１は、定期的に図３に示されるフローチャートを実行する。まず、制御部１０１は、仮想キーボード２０１が表示されているか否か、すなわち、文字入力中であるか否かを判定する（ステップＳ１０）。この場合、上記前提条件により、仮想キーボード２０１が表示されているので（ステップＳ１０のＹＥＳ）、制御部１０１は、キーがタッチ操作中であるか否かを判定する（ステップＳ１２）。
【００２８】
この場合も、上記前提条件により、「Ａ」文字キー４０１がタッチ操作中であるので（ステップＳ１２のＹＥＳ）、入力種別がパスワードであるか否かを判定する（ステップＳ１４）。この場合も、上記前提条件により、パスワード入力状態であるので（ステップＳ１４のＹＥＳ）、制御部１０１は、図４に示すように、入力された「Ａ」文字キー４０１を、その下方に拡大文字４０３として拡大表示する（ステップＳ１６）。その後、ステップＳ１０に戻り、上述した繰り返し実行する。
【００２９】
なお、図４には、「Ａ」文字キー４０１を指４０２でタッチ操作した際の様子を示しており、分かりやすいように、指４０２を透過させ、指の下にある「Ａ」文字キー４０１、拡大文字４０３が透けて見えるように図示している。また、図４に示す例では、「Ａ」文字キー４０１の下方に拡大文字４０３をポップアップ表示している状態を示している。
【００３０】
一方、ステップＳ１４において、入力種別がパスワード以外の場合には（ステップＳ１４のＮＯ）、図５に示すように、入力された「Ａ」文字キー４０１を、その上方に拡大文字５０３として拡大表示を行う（ステップＳ１８）。その後、ステップＳ１０に戻り、上述した繰り返し実行する。
【００３１】
なお、図５には、「Ａ」文字キー４０１を指４０２でタッチ操作した際の様子を示しており、分かりやすいように、指４０２を透過させ、指の下にある「Ａ」文字キー４０１が透けて見えるように図示している。また、図５に示す例では、「Ａ」文字キー４０１の上方に拡大文字５０３をポップアップ表示している状態を示している。
【００３２】
また、ステップＳ１０で、仮想キーボード２０１が表示されていなかった場合（ステップＳ１０）、あるいは、ステップＳ１２で、キーがタッチ操作されていなかった場合（ステップＳ１２のＮＯ）には、ステップＳ１０に戻り、上述した繰り返し実行する。
【００３３】
図６、及び図７は、本第１実施形態において、パスワードの文字を入力した際に、文字入力を受け付けたこと示す他の表示例を示す模式図である。なお、図６、図７において、図４、または図５に対応する部分には同じ符号を付けて説明を省略する。図６に示す例では、拡大文字４０３に比べて、「Ａ」文字キー４０１の下方に、拡大文字６０３と背景のコントラストを落としてポップアップ表示している状態を示している。また、図７に示す例では、拡大文字４０３に比べて、「Ａ」文字キー４０１の下方に、拡大文字７０３を小さくポップアップ表示している状態を示している。
【００３４】
このように、上述したステップＳ１６の拡大表示において、図６に示すように、拡大文字６０３と背景のコントラストを下げたり、図７に示すように、拡大文字７０３の拡大率を下げて小さめに表示したり、あるいは、図６、及び図７を組み合わせたりすることにより、パスワード漏洩のリスクをより低減させることができる。なお、図７においては、拡大文字７０３の拡大率を下げて小さめに表示したが、さらに、「Ａ」文字キー４０１の表示サイズ以下に縮小して表示するようにしてもよい。また、図示しないが、単純にタッチ操作された文字キーを、同じ位置に拡大表示することで、入力を受け付けたことをユーザに通知するようにしてもよい。
【００３５】
上述した第１実施形態によれば、入力制御部１０５によって入力部（タッチパネル）１０６からパスワードの文字が入力されたことが検出されると、表示制御部１０３によって、ディスプレイ１０４の画面上で、入力された文字キーを、その下方に拡大文字として表示したり、拡大文字と背景のコントラストを下げたり、拡大文字の拡大率を下げて小さめに表示したり、入力された文字キーの表示サイズ以下に縮小して表示したり、同じ位置に拡大表示したりするようにしたので、キーのタッチ操作確認の機能を省略することなく、周囲からの覗き見、すなわちパスワード漏洩のリスクを低減させることができる。
【００３６】
Ｂ．第２実施形態
次に、本発明の第２実施形態について説明する。なお、情報処理装置１の構成は、図１と同じであるので説明を省略する。
【００３７】
図８は、本第２実施形態による情報処理装置１の動作を説明するためのフローチャートである。本第２実施形態では、キーへのタッチ操作の確認手段として、バイブレータ１０８を振動させることを特徴とする。すなわち、第１実施形態のパスワード漏洩リスクをより低減させるために、キーの拡大表示の代わりに、バイブレータの振動でユーザにキーへのタッチ操作受付を報知するものである。
【００３８】
ステップＳ２０、Ｓ２２、Ｓ２４およびＳ２６は、前述した図３のステップＳ１０、Ｓ１２、Ｓ１４およびＳ１８と同じ動作であるので説明を省略する。本第２実施形態の場合、キーへのタッチ操作時にバイブレータ１０８を振動させるか否かを利用者が選択可能となっており、その設定情報はワークメモリ１０２に記憶されている。
【００３９】
制御部１０１は、ステップＳ２４において、入力種別がパスワード以外の場合には（ステップＳ２４のＮＯ）、ステップＳ２６で、図５に示すように、入力された「Ａ」文字キー４０１を、その上方に拡大文字５０３として拡大表示を行う。その後、制御部１０１は、ワークメモリ１０２を参照し、キーへのタッチ操作時にバイブレータ１０８を振動させる設定になっているか否かを判定する（ステップＳ２８）。そして、バイブレータ１０８を振動させる設定になっている場合には（ステップＳ２８のＹＥＳ）、制御部１０１は、振動制御部１０７を制御し、一定時間、バイブレータ１０８を振動させる（ステップ３０）。
【００４０】
一方、ステップＳ２４において、入力種別がパスワードの場合には（ステップＳ２４のＹＥＳ）、キーの拡大表示を実施せず、また、バイブレータ１０８を振動させる設定になっているか否かに関わらず、ステップＳ３０に進み、バイブレータ１０８を振動させる。
【００４１】
上述した第２実施形態によれば、入力制御部１０５によって入力部（タッチパネル）１０６からパスワードの文字が入力されたことが検出されると、バイブレータ１０８を振動させるようにしたので、キーのタッチ操作確認の機能を省略することなく、周囲からの覗き見、すなわちパスワード漏洩のリスクをより低減させることができる。
【００４２】
なお、上述した第２実施形態では、パスワードの文字が入力されたことが検出されると、キーの拡大表示を実施することなく、バイブレータ１０８を振動させるようにしたが、これに限らず、前述した第１実施形態の表示方法と組み合わせるようにしてもよい。
【００４３】
また、本発明の情報処理装置は、携帯電話・スマートフォンに限らず、他の装置（例えば、ゲーム機、タブレットＰＣ（Ｐｅｒｓｏｎａｌ  Ｃｏｍｐｕｔｅｒ）、ノートＰＣ、ＰＤＡ（Ｐｅｒｓｏｎａｌ  Ｄａｔａ  Ａｓｓｉｓｔａｎｔｓ：携帯情報端末）にも幅広く適用可能である。
【００４４】
以下、本発明の特徴を付記する。
上記の実施形態の一部又は全部は、以下の付記のようにも記載されうるが、以下には限られない。
（付記１）
図９は、付記１の構成図である。なお、図９と図１の対応について説明する。図９の入力手段８００は、図１の入力部（タッチパネル）１０６への入力手段（指やスタイラス（ペン））に相当する。また、図９の入力検出部９０１は、図１の入力制御部１０５と入力部（タッチパネル）１０６に相当する。また、図９の表示部９０２は、図１のディスプレイ１０４に相当し、図９の制御部９０３は、図１の制御部１０１に相当する。
【００４５】
この図に示すように、付記１記載の発明は、
入力手段８００の接触又は近接位置を検出する入力検出部９０１と、
前記入力検出部９０１における入力位置を表示する表示部９０２と、
前記入力検出部９０１を用いて所定の情報が入力される場合、前記入力検出部９０１が検出した位置に対応する情報の入力受付けを、第１の通知形態で通知し、前記入力検出部９０１を用いて前記所定の情報以外の情報が入力される場合、前記入力検出部９０１が検出した位置に対応する情報の入力受付けを、第２の通知形態で通知する制御部９０３と、
を備えることを特徴とする情報処理装置９００である。
【００４６】
（付記２）
前記制御部は、前記入力検出部が検出した位置に対応する情報を、前記第１の通知形態として前記表示部の第１の位置に表示し、前記第２の通知形態として前記表示部の第２の位置に表示する、ことを特徴とする付記１に記載の情報処理装置である。
【００４７】
（付記３）
前記制御部は、前記第１の位置として、前記入力検出部が検出した位置に対応する情報の下方に前記情報を表示し、前記第２の位置として、前記入力検出部が検出した位置に対応する情報の上方に前記情報を表示する、ことを特徴とする付記２に記載の情報処理装置である。
【００４８】
（付記４）
前記制御部は、前記所定の情報が入力される場合、前記情報を拡大表示する、ことを特徴とする付記３に記載の情報処理装置である。
【００４９】
（付記５）
前記制御部は、前記所定の情報が入力される場合、前記情報と背景のコントラストを小さくする、ことを特徴とする付記４に記載の情報処理装置である。
【００５０】
（付記６）
前記制御部は、前記所定の情報が入力される場合、前記所定の情報以外が入力される場合の拡大率に比べより小さな拡大率で前記情報を拡大表示するか、あるいは前記入力検出部が検出した位置に対応する情報の表示サイズ以下に前記情報を縮小して表示する、ことを特徴とする付記４または５に記載の情報処理装置である。
【００５１】
（付記７）
当該携帯装置を振動させる振動部を更に備え、前記制御部は、前記所定の情報が入力される場合、前記第１の通知形態として、前記振動部を振動させることで前記情報の入力受付けを通知する、ことを特徴とする付記１に記載の情報処理装置である。
【００５２】
（付記８）
入力部の接触又は近接位置を検出する入力検出ステップと、前記入力検出ステップで検出される入力位置を表示する表示ステップと、前記入力検出ステップで所定の情報が入力される場合、前記入力検出ステップで検出した位置に対応する情報の入力受付けを、第１の通知形態で通知する第１の通知ステップと、前記入力検出ステップで前記所定の情報以外の情報が入力される場合、前記入力検出ステップで検出した位置に対応する情報の入力受付けを、第２の通知形態で通知する第２の通知ステップと、を含むことを特徴とする情報入力方法である。
【００５３】
（付記９）
情報処理装置のコンピュータに、入力手段の接触又は近接位置を検出する入力検出機能、前記入力検出機能における入力位置を表示部に表示する表示機能、前記入力検出機能を用いて所定の情報が入力される場合、前記入力検出機能が検出した位置に対応する情報の入力受付けを、第１の通知形態で通知する第１の通知機能、前記入力検出機能を用いて前記所定の情報以外の情報が入力される場合、前記入力検出機能が検出した位置に対応する情報の入力受付けを、第２の通知形態で通知する第２の通知機能、を実行させることを特徴とするプログラムである。
【符号の説明】
【００５４】
１、９００  情報処理装置
１０１  制御部
１０１１  ＣＰＵ
１０１２  プログラムメモリ
１０２  ワークメモリ
１０３  表示制御部
１０４  ディスプレイ
１０５  入力制御部
１０６  入力部（タッチパネル）
１０７  振動制御部
１０８  バイブレータ
２０１  仮想キーボード
２０２  パスワード入力欄
８００  入力手段
９０１  入力検出部
９０２  表示部
９０３  制御部
【図１】
2014182540.tif 000003
【図２】
2014182540.tif 000004
【図３】
2014182540.tif 000005
【図４】
2014182540.tif 000006
【図５】
2014182540.tif 000007
【図６】
2014182540.tif 000008
【図７】
2014182540.tif 000009
【図８】
2014182540.tif 000010
【図９】
2014182540.tif 000011